(57)【特許請求の範囲】
【請求項１】
ワイヤーハーネスを組立図板上で組立てる際にワイヤーハーネス分岐個所に用いるワイヤーハーネス組立用支持具であって、組立図板上に立設される脚部と、この脚部の上端に設けられた複数本の電線掛部からなるフォーク部とを有するとともに、該フォーク部の略中心位置に、ワイヤーハーネス分岐中心設定用の基準棒を配置し、該基準棒を脚部より上方に突出する状態と脚部内に没入する状態とに上下動可能とし、かつ、該基準棒を上方に付勢する付勢手段を設け、この付勢手段の付勢力を越える荷重が上方から基準棒に加わったとき基準棒が脚部内に没入するように構成したことを特徴とするワイヤーハーネス組立用支持具。
【請求項２】
上記脚部、フォーク部及び基準棒を含む支持具本体を、フォーク部がワイヤーハーネスの電線束を受け止める上昇位置とこの位置から退避する下降位置とにわたり位置変更可能とする高さ位置調節手段を備えたことを特徴とする請求項１記載のワイヤーハーネス組立用支持具。
【請求項３】
上記脚部に対して上記フォーク部を、所定上昇位置とこの位置から退避する下降位置とにわたり位置変更可能としたことを特徴とする請求項２記載のワイヤーハーネス組立用支持具。
【発明の詳細な説明】
【０００１】
【発明の属する技術分野】
本発明は、ワイヤーハーネスを組立図板上で組立てる際にワイヤーハーネス分岐個所に用いるワイヤーハーネス組立用支持具に関するものである。
【０００２】
【従来の技術】
従来から、ワイヤーハーネスの組立てる場合には、組立図板上の所定数箇所に組立用支持具を配設し、これらの組立用支持具に電線を支持させ、かつ、特定位置で幹線から枝線を分岐させるようにしつつ、ワイヤーハーネスを構成する電線を組立用支持具に沿って布線することにより分岐を有する電線束を形成し、さらに電線束がばらばらにならないように外周にテープを巻付け、最後にクランプ、プロテクタ等の付属部品を取付けるようにしている。
【０００３】
このようなワイヤーハーネスの組立ての際に分岐個所等で用いられる支持具としては、例えば図７に示すようなものが知られている。この図に示す支持具１０１は、柱状の脚部１１１と、この脚部１１１の上端に放射状の連結部１１２ｂを介して連結された３本の棒状の電線掛部１１２ａからなるフォーク部１１２とを備えている。そして、組立図板上に固定的に取付けられ、あるいは，高さ位置調節手段１１６を介し、電線束を受け止める上昇位置とこの位置から退避する下降位置とにわたり位置変更可能に取付けられるようになっている。
【０００４】
このほかにも、例えば特開平５−３２５６７１号公報に示されるように、布線板（組立図板）上に固定されるベース部と、このベース部の上端に突出する複数本の電線掛部を有するフォーク部とを備え、このフォーク部を幹線支持用フォーク部と分岐用フォーク部とに分けて構成するとともに、分岐用フォーク部を移動させるためのレバーを設け、電線束の分岐部と上記分岐用フォーク部とが干渉するときは作業者が上記レバーを操作することにより分岐用フォーク部を退避位置に移動させ得るようにした構造のものが知られている。
【０００５】
【発明が解決しようとする課題】
図７に示す支持具によると、幹線から枝線を分岐させるようにしつつ多数の電線をフォーク部に支持させていくときに、分岐中心位置が支持具のフォーク部の中心位置からずれ易く、このような分岐中心位置のずれが生じると、分岐位置を基準としたワイヤーハーネス各部の寸法精度が悪くなるという問題がある。
【０００６】
また、特開平５−３２５６７１号公報に示された支持具によると、分岐用フォーク部により分岐位置が規制されるので、分岐中心位置のずれを抑制することは期待できるが、布線後に分岐個所及びその近傍にテープ巻きを行ってから再びフォーク部に電線束を掛けるようなときに分岐用フォーク部と干渉し、この場合に分岐用フォーク部を退避位置移動させるため作業者がレバーを操作する必要があり、この操作が煩わしいという問題がある。
【０００７】
本発明は、上述した問題点を解決するためになされたものであり、支持具に掛けられる電線束の分岐中心位置を正しく規制することができて、分岐位置を基準としたワイヤーハーネス各部の寸法精度を高めることができ、しかも、操作が簡単なワイヤーハーネス組立用支持具を提供することを目的としている。
【０００８】
【課題を解決するための手段】
上記目的を達成するために請求項１に記載の発明は、ワイヤーハーネスを組立図板上で組立てる際にワイヤーハーネス分岐個所に用いるワイヤーハーネス組立用支持具であって、組立図板上に立設される脚部と、この脚部の上端に設けられた複数本の電線掛部からなるフォーク部とを有するとともに、該フォーク部の略中心位置に、ワイヤーハーネス分岐中心設定用の基準棒を配置し、該基準棒を脚部より上方に突出する状態と脚部内に没入する状態とに上下動可能とし、かつ、該基準棒を上方に付勢する付勢手段を設け、この付勢手段の付勢力を越える荷重が上方から基準棒に加わったとき基準棒が脚部内に没入するように構成したものである。
【０００９】
この構成によると、組立図板上にこの支持具を取付けた状態で多数の電線をフォーク部に掛けるとともに一部を分岐させるように布線していくとき、上記基準棒により分岐中心位置が正しく規制される。そして、布線後に分岐個所及びその近傍にテープ巻きが行われてから電線束が再び支持具に掛けられるときは、上記基準棒が電線束により上方から押え付けられて脚部内に没入することにより、基準棒と電線束との干渉が避けられる。
【００１０】
この発明において、請求項２に記載のように上記脚部、フォーク部及び基準棒を含む支持具本体を、フォーク部がワイヤーハーネスの電線束を受け止める上昇位置とこの位置から退避する下降位置とにわたり位置変更可能とする高さ位置調節手段を備えることが好ましい。
【００１１】
このようにすると、布線後のテープ巻き時には支持具本体を下降位置に退避させることにより、テープ巻き作業が容易になる。
【００１２】
さらに、請求項３に記載のように上記脚部に対して上記フォーク部を、所定上昇位置とこの位置から退避する下降位置とにわたり位置変更可能とすることが好ましい。
【００１３】
このようにすれば、布線後に分岐部分をテープで仮止めする所謂また掛け作業時には、上記フォーク部だけを下降位置とすることで、分岐個所の位置ずれが防止されつつ、この作業が容易に行われる。
【００１４】
【発明の実施の形態】
以下、本発明の実施の形態を図面を参照しつつ説明する。
【００１５】
図１は本発明のワイヤーハーネス組立用支持具１が取付けられた組立図板２及びこの組立図板２上で組立てられたワイヤーハーネスＷを部分的に示している。この図において、組立図板２上に取付けられた支持具１にワイヤーハーネスＷの電線束３が支持され、かつ、この位置においての幹線側の電線束３ａから枝線側の電線束３ｂが分岐している。この分岐個所において電線束３には、電線束３がばらばらになることを防止するともに分岐状態を保持するようにテープ４が巻かれている。なお、５は電線束の端部に取付けられたコネクタである。
【００１６】
上記支持具１は、図２〜図５に示すように、脚部１１、フォーク部１２及び基準棒１３を含む支持具本体１０と、組立図板２に対して支持具本体１０の高さ位置を変更可能とする高さ位置調節手段１６とを備えている。
【００１７】
上記支持具本体１０の脚部１１は角柱等の柱状に形成されている。フォーク部１２は、複数本の電線掛部１２ａを有し、当実施形態では互いに所定間隔をおいて三方に配置された３本の棒状の電線掛部１２ａを有しており、脚部１１の上端に放射状の連結部１２ｂ介して電線掛部１２ａが連結されている。
【００１８】
上記基準棒１３は、フォーク部１２の略中心に配置され、脚部１１より上方に突出する状態と脚部１１内に没入する状態とに上下動可能とされ、スプリング１４等からなる付勢手段により上方に付勢されている。具体的には、フォーク部１２の中心部と脚部１１とにわたって形成された空洞部に筒状の基準棒収納部１５が嵌着され、この基準棒収納部１５にスプリング１４が収納されるとともに基準棒１３が出没可能に装備されている。そして、通常はスプリング１４による付勢力で基準棒１３が図２、図３（ａ）に示すような突出状態に保持され、スプリング１４の付勢力を越える荷重が上方から基準棒１３に加わったときに基準棒１３が基準棒収納部１５内に没入するようになっている。
【００１９】
また、高さ位置調節手段１６は、特開平６−３３３４４１号公報に示すものと同様の機構であり、中空状のベース部材１６ａと、このベース部材１６ａに連設されて基準棒１３を挿通させる筒体部１６ｂと、この筒体部１６ｂに形成されたねじに螺合するナット１６ｃと、ベース部材１６ａの内部に設けられた係止具（図示せず）とを備え、図３に示すようにベース部材１６ａが組立図板２の下側に配置されるとともに筒体部１６ｂが組立図板２に設けられた取付孔に挿通された状態で、ナット１６ｃにより組立図板２に固定される。
【００２０】
この高さ位置調節手段１６により支持具本体１０が図３（ａ）に示す所定上昇位置（フォーク部１２がワイヤーハーネスＷの電線束３を受け止める位置）と図３（ｂ）に示す所定下降位置（退避位置）とにわたり上下動可能に支持されている。そして、支持具本体１０が所定下降位置から所定上昇位置へ引き上げられたときには係止具により係止されて所定上昇位置に保持され、またこの状態から若干上方へ引き上げるような操作が行われたときに係止具による係止が解除されて支持具本体１０が自重で所定下降位置まで下降するようになっている。
【００２１】
この支持具１の作用を、図３及び図４を参照しつつ説明する。
【００２２】
ワイヤーハーネスＷの組立ての際に、組立図板２に取付けられた当該支持具１は、先ず図３（ａ）に示すように、支持具本体１０が所定上昇位置に保持されるとともに、基準棒１３が脚部１１より突出した状態となっている。この状態で、図４に示すように、多数本の電線が当該支持具１のフォーク部１２に掛けられるとともに、そのうちの一部の電線が枝線方向に屈曲され、他の電線が幹線方向に延ばされる。こうして、フォーク部に電線束３が支持されるとともに幹線側の電線束３ａから枝線側の電線束３ｂが分岐するように布線されるが、この場合に、分岐する電線は上記基準棒１３に沿って屈曲させられることにより、分岐中心位置が上記基準棒１３により一定位置に保たれ、分岐中心位置のずれが確実に防止される。
【００２３】
布線作業が終われば、作業者により電線束３が保持されつつ、図３（ｂ）のように支持具本体１０が所定下降位置とされ、この状態で、分岐部及びその近傍にわたる範囲で電線束３（３ａ，３ｂ）にテープ４が巻かれる。
【００２４】
テープ巻きが終われば、図３（ｃ）及び図５に示すように、支持具本体１０が再び所定上昇位置に引き上げられ、この状態でフォーク部１２にテープ巻き後の電線束３が支持される。このとき、上記基準棒１３はテープ巻き後の電線束３で上方から押さえられて、電線束３の荷重により自動的に筒体部１５内に没入する。従って、テープ巻き後の電線束３が基準棒１３と干渉することなく適正にフォーク部１２に支持され、しかも、基準棒１３を没入させるために格別の操作を必要とすることがない。
【００２５】
図６は本発明の別の実施形態を示している。この実施形態でも、高さ位置調節手段１６により支持具本体１０が所定上昇位置と所定下降位置とにわたり上下動可能とされるとともに、フォーク部１２の略中心に配置された基準棒１３が脚部１１より上方に突出する状態と脚部１１内に没入する状態とに上下動可能とされて、スプリング１４等からなる付勢手段により上方に付勢されている点は先の実施形態と同様であるが、これらの構造に加えてさらに、脚部１１に対してフォーク部１２が所定上昇位置とこの位置から退避する下降位置とにわたり位置変更可能とされている。
【００２６】
すなわち、上記フォーク部１２が脚部１１に対して回り止め状態で上下方向にスライド可能に嵌合するとともに、このフォーク部１２を所定上昇位置で脚部１１に対して係止する係止手段が設けられている。この係止手段として図示の例では、脚部１１の上端近傍両側部に、弾性的に外方へ突出するボールプランジャー１７が設けられる一方、フォーク部１２の下端の、脚部１１に嵌合する部分に、上記ボールプランジャー１７に対応する係合孔１８が設けられている。そして、フォーク部１２が所定上昇位置にあるときにボールプランジャー１７が係合孔１８に係止され、この状態からフォーク部１２を所定値以上の力で押し下げればボールプランジャー１７が脚部１１の壁面内に押し込まれて係止が解除されるようになっている。
【００２７】
この実施形態の支持具１の作用を説明すると、ワイヤーハーネスＷの組立ての際に、組立図板２に取付けられた当該支持具１は、先ず図６（ａ）に示すように、支持具本体１０が所定上昇位置に保持され、かつ、その脚部１１に対してフォーク部１２が所定上昇位置とされるとともに、基準棒１３が脚部１１から突出した状態となっている。この状態は先の実施形態の図３（ａ）と同じであって、この状態で多数本の電線が当該支持具１のフォーク部１２に掛けられるとともに、そのうちの一部が分岐するように屈曲させられ、その分岐中心位置が上記基準棒１３により一定位置に保たれる。
【００２８】
布線作業が終われば、次に図６（ｂ）のように、フォーク部１２のみが下降位置へ押し下げられ、この状態で、電線束３の分岐部分を仮止めしてその分岐形状を保持するようにテープを掛ける、所謂また掛けが行われる。このとき、フォーク部１２が下降しているのでまた掛け作業の邪魔にならず、しかも基準棒１３は上昇位置で突出状態にあるため、また掛け作業中に分岐中心位置がずれてしまうことが防止される。
【００２９】
また掛けによる分岐部分の仮止めが終われば、図６（ｃ）のように支持具本体１０の全体が下降位置とされ、分岐部及びその近傍にわたって電線束３（３ａ，３ｂ）にテープが巻かれ、それから支持具本体１０が再び所定上昇位置に引き上げられ、この状態でフォーク部１２にテープ巻き後の電線束３が支持される。これら図６（ｃ）（ｄ）の各状態での作用は、先の実施形態の図３（ｂ）（ｃ）の各状態での作用と同様である。
【００３０】
なお、本発明の支持具の具体的構造は上記実施形態以外にも種々変更可能である。例えば、フォーク部は上記実施形態のような３本の電線掛部１２ａを有するものに限らず、例えば２本の電線掛部をＵ字状に連結したものでもよい。このようにフォーク部を形成する場合でも、その略中心位置に、脚部より上方に突出する状態と脚部内に没入する状態とに上下動可能な基準棒を設けるようにすればよい。
【００３１】
【発明の効果】
以上説明したように、本発明のワイヤーハーネス組立用支持具は、フォーク部の略中心位置にワイヤーハーネス分岐中心設定用の基準棒を配置し、該基準棒を上下動可能とし、かつ、付勢手段で上方に付勢しているため、上記基準棒により分岐中心位置を正しく規制することができ、これにより分岐位置を基準としたワイヤーハーネス各部の寸法精度を高めることができる。しかも、テープ巻き後の電線束を再び支持具に掛けるとき等に電線束と分岐中心設定用の部材との干渉を避けることができ、かつ、この干渉回避のためにレバー操作等を必要とせず、操作性を向上することができる。
【００３２】
また、このような構成に加え、フォーク部及び基準棒を含む支持具本体を上昇位置と下降位置とにわたり位置変更可能とする高さ位置調節手段を設け、さらに、脚部に対してフォーク部を所定上昇位置と下降位置とにわたり位置変更可能とすれば、布線後に分岐個所にテープをまた掛けするときにはフォーク部を下降させ、その後に分岐個所及びその近傍の電線束にテープ巻きを行うときには支持具本体を下降位置に退避させることにより、これらの作業を容易に行うことができる。
【図面の簡単な説明】
【図１】本発明のワイヤーハーネス組立用支持具が取付けられた組立図板及びこの組立図板上で組立てられたワイヤーハーネスを部分的に示す斜視図である。
【図２】本発明の一実施形態によるワイヤーハーネス組立用支持具の斜視図である。
【図３】（ａ）（ｂ）（ｃ）は上記ワイヤーハーネス組立用支持具の各作業段階での状態を示す説明図である。
【図４】上記ワイヤーハーネス組立用支持具に多数の電線が掛けられる状態を示す斜視図である。
【図５】上記ワイヤーハーネス組立用支持具にテープ巻き後の電線束が支持される状態を示す斜視図である。
【図６】（ａ）（ｂ）（ｃ）（ｄ）は別の実施形態によるワイヤーハーネス組立用支持具の各作業段階での状態を示す説明図である。
【図７】従来のワイヤーハーネス組立用支持具の一例を示す斜視図である。
【符号の説明】
１    ワイヤーハーネス組立用支持具
２    組立図板
３    電線束
１０    支持具本体
１１    脚部
１２    フォーク部
１２ａ    電線掛部
１３    基準棒
１６    高さ位置調節手段
【図１】
0003855673.tif 000002
【図２】
0003855673.tif 000003
【図３】
0003855673.tif 000004
【図４】
0003855673.tif 000005
【図５】
0003855673.tif 000006
【図６】
0003855673.tif 000007
【図７】
0003855673.tif 000008